(57)【要約】【課題】施工現場で施工作業等を行うときは、止水パネルと閉鎖部材をそれぞれ個別に取り扱う必要がなく、これらを一体化されたものとして取り扱うことができるようになる止水装置を提供すること。【解決手段】止水装置は、地上構造物１等の不動体に出入口２等として設けられた開口部の少なくとも一部を開閉する止水パネル１０を有し、この止水パネル１０に、止水パネル１０の上端から下端に向かって切り込み状態でＵ字形状又は略Ｕ字形状等に形成されている切欠部３０が設けられ、この切欠部３０が扉２０等による閉鎖部材により開放可能に閉鎖される装置である。閉鎖部材は、全体が止水パネル１０から分離可能となっておらず、閉鎖部材の一部が、例えば、ヒンジ２１により止水パネル１０に結合されている。【選択図】図１
2015132123.tif 000002
【特許請求の範囲】
【請求項１】
不動体に設けられた開口部の少なくとも一部に対して開閉可能となっている止水パネルと、この止水パネルに、前記止水パネルの上端から下端に向かって切り込み状態で形成され、人が跨ぐことにより前記止水パネルを通過するための切欠部と、この切欠部を開放可能に閉鎖する閉鎖部材と、を有する止水装置において、
前記閉鎖部材の一部が前記止水パネルに結合されていることを特徴とする止水装置。
【請求項２】
請求項１に記載の止水装置において、前記閉鎖部材は、上下方向と、左右方向と、これらの上下方向及び左右方向に対する斜めの方向とのうち、少なくとも一つの方向へ延びる辺部を有しており、この辺部において前記閉鎖部材は前記止水パネルに結合されていることを特徴とする止水装置。
【請求項３】
請求項２に記載の止水装置において、前記閉鎖部材は、前記辺部がヒンジにより前記止水パネルに開閉可能に結合されている扉であることを特徴とする止水装置。
【請求項４】
請求項３に記載の止水装置において、前記止水パネルには、水圧を受けたときの前記扉が当たる戸当り部が設けられていることを特徴とする止水装置。
【請求項５】
請求項２に記載の止水装置において、前記閉鎖部材は、防水性を有するシート部材であることを特徴とする止水装置。
【請求項６】
請求項５に記載の止水装置において、前記シート部材の下辺部と上辺部のうち、一方が前記止水パネルに結合されている前記辺部であり、前記シート部材は、前記止水パネルに密着する左右辺部を有していることを特徴とする止水装置。
【請求項７】
請求項６に記載の止水装置において、前記シート部材の前記下辺部が、前記止水パネルに結合されている前記辺部であり、前記シート部材は、巻取軸に繰り出し可能に巻き取られており、この巻取軸は、水位の上昇により、前記シート部材を繰り出しながら上側へ移動可能となっていることを特徴とする止水装置。
【請求項８】
請求項７に記載の止水装置において、前記巻取軸は、フロート部材に連結手段を介して連結されており、水位の上昇によって前記フロー部材が上昇することにより、前記巻取軸は前記シート部材を繰り出しながら上側へ移動することを特徴とする止水装置。
【請求項９】
請求項８に記載の止水装置において、前記止水パネルの内部は、水が侵入する空洞部となっており、この空洞部に、前記巻取軸と前記フロート部材と前記連結手段とが収納されていることを特徴とする止水装置。
【発明の詳細な説明】
【技術分野】
【０００１】
本発明は、大雨時等において出入口等の開口部の少なくとも一部を止水パネルにより閉じるための止水装置に係り、例えば、地下鉄の駅等へ通じる地上の出入口や建物の出入口の少なくとも一部を水密状態に閉鎖するための装置として利用できるものである。
【背景技術】
【０００２】
地下鉄の駅や地下街等の地下施設へ通じる地上の出入口や、建物の出入口には、大雨等による水が地下施設に流入することを防止するための止水装置が設けられる。このような止水装置は、下記の特許文献１に示されている。この止水装置は、不動体となっている地上構造物に開口部として形成された出入口の少なくとも一部に対して開閉可能となっている止水パネルを有しており、この止水パネルには、止水パネルの上端から下端に向かって切り込み状態で形成されたＵ字形状又は略Ｕ字形状の切欠部が設けられている。これにより、止水パネルが出入口の少なくとも一部を閉じているときでも、人はこの切欠部を跨ぐことにより止水パネルを通過できるようになっている。そして、切欠部は、閉鎖部材により開放可能に閉鎖できるようになっており、このため、人の通過前や通過後の切欠部が閉鎖部材で閉鎖されることにより水の浸入が防止される。
【先行技術文献】
【特許文献】
【０００３】
【特許文献１】特開２０１０−５３６０５号公報
【発明の概要】
【発明が解決しようとする課題】
【０００４】
しかし、特許文献１の止水装置では、切欠部を開放可能に閉鎖するための閉鎖部材は、閉鎖部材全体が止水パネルに対して取り外されるものとなっている。このため、止水装置を施工現場で施工作業等するときは、止水パネルと閉鎖部材をそれぞれ個別に取り扱うことになる。
【０００５】
本発明の目的は、施工現場で施工作業等を行うときは、止水パネルと閉鎖部材をそれぞれ個別に取り扱う必要がなく、これらを一体化されたものとして取り扱うことができるようになる止水装置を提供するところにある。
【課題を解決するための手段】
【０００６】
本発明に係る止水装置は、不動体に設けられた開口部の少なくとも一部に対して開閉可能となっている止水パネルと、この止水パネルに、前記止水パネルの上端から下端に向かって切り込み状態で形成され、人が跨ぐことにより前記止水パネルを通過するための切欠部と、この切欠部を開放可能に閉鎖する閉鎖部材と、を有する止水装置において、前記閉鎖部材の一部が前記止水パネルに結合されていることを特徴とするものである。
【０００７】
この止水装置では、閉鎖部材の一部が止水パネルに結合されているため、止水装置を施工する現場等において、止水パネルと閉鎖部材をそれぞれ個別に取り扱う必要がなくなり、これらを一体化されたものとして取り扱うことができるため、施工作業等を容易に行うことができる。
【０００８】
本発明において、止水パネルで少なくとも一部が開閉される不動体の開口部の形状は、任意であり、この開口部の形状に応じて、止水パネルの正面視の全体形状を、例えば、四角形や台形等としてもよい。
【０００９】
また、止水パネルに、この止水パネルの上端から下端に向かって切り込み状態で形成され、閉鎖部材で開放可能に閉鎖される切欠部の形状も、Ｕ字形状や略Ｕ字形状、Ｖ字形状や略Ｖ字形状等の任意の形状でよく、この切欠部の形状に応じて、閉鎖部材の正面視の全体形状を、例えば、四角形や台形、三角形、逆三角形等としてもよい。
【００１０】
そして、閉鎖部材が、上下方向と、左右方向と、これらの上下方向及び左右方向に対する斜めの方向とのうち、少なくとも一つの方向へ延びる辺部を有している場合には、この辺部において閉鎖部材を止水パネルに結合してもよい。
【００１１】
このように閉鎖部材が、上下方向と、左右方向と、これらの上下方向及び左右方向に対する斜めの方向とのうち、少なくとも一つの方向へ延びる辺部を有している場合に、この辺部において閉鎖部材を止水パネルに結合する場合には、閉鎖部材を、前記辺部がヒンジにより止水パネルに開閉可能に結合された扉とすることができる。
【００１２】
このように閉鎖部材を、ヒンジにより止水パネルに開閉可能に結合された扉とする場合には、止水パネルには、水圧を受けたときの扉が当たる戸当り部を設けることが好ましい。
【００１３】
これによると、扉が水圧を受けると、この扉は止水パネルに設けられた戸当り部に当るため、扉は水圧によって止水パネルに密着して切欠部を閉鎖することになり、これにより、閉鎖部材による切欠部の閉鎖を一層確実のものとすることができる。
【００１４】
また、閉鎖部材は、上記扉のようにパネル状のものでよく、シート状のものでもよい。
【００１５】
閉鎖部材をシート状のもの、言い換えると、シート部材とした場合には、例えば、このシート部材の下辺部と上辺部とのうち、一方を止水パネルに結合される前記辺部とし、シート部材を、止水パネルに密着する左右辺部を有するものとすることができる。
【００１６】
これによると、シート部材の下辺部と上辺部とのうち、一方が止水パネルに結合され、シート部材の左右辺部が止水パネルに密着するため、止水パネルに形成されている前記切欠部をシート部材により閉鎖することができ、また、シート部材の左右辺部を止水パネルから離間させることにより、切欠部を開放することができる。
【００１７】
また、このようにシート部材の下辺部と上辺部とのうち、一方が止水パネルに結合され、シート部材の左右辺部を止水パネルから離間可能とするためには、一例として、シート部材の下辺部を止水パネルに結合された前記辺部とするとともに、シート部材を、巻取軸に繰り出し可能に巻き取られたものとし、この巻取軸を、水位の上昇により、シート部材を繰り出しながら上側へ移動可能とすればよい。
【００１８】
さらに、巻取軸を、水位の上昇により、シート部材を繰り出しながら上側へ移動可能とするためには、例えば、巻取軸をフロート部材に連結手段を介して連結し、水位の上昇によってフロー部材が上昇することにより、巻取軸がシート部材を繰り出しながら上側へ移動するように構成すればよい。
【００１９】
このように巻取軸をフロート部材に連結手段を介して連結し、水位の上昇によってフロー部材が上昇することにより、巻取軸がシート部材を繰り出しながら上側へ移動するように構成するためには、巻取軸とフロート部材と連結手段を、止水パネルの表裏両面のうち、水圧が作用する側の面に配置してもよく、あるいは、止水パネルの内部を、水が侵入する空洞部とし、この空洞部に、巻取軸とフロート部材と連結手段とを収納配置してもよい。
【００２０】
後者によると、巻取軸とフロート部材と連結手段は止水パネルの内部に配置されるため、これらの巻取軸とフロート部材と連結手段を、止水パネルにより予期できない外部力等から保護することができる。
【００２１】
また、以上説明した本発明において、不動体に形成されている前記開口部を止水パネルにより一層確実に水密状態で閉じることができるようにするために、これらの止水パネルと不動体のうち、少なくとも一方に水密性のシール部材を取り付けてもよい。
【００２２】
また、止水パネルに形成されている切欠部を閉鎖部材で一層確実に水密に閉鎖することができるようにするために、これらの止水パネルと閉鎖部材のうち、少なくとも一方に水密性のシール部材を取り付けてもよい。
【００２３】
さらに、本発明に係る止水装置は、不動体に形成されている開口部の少なくとも一部を止水パネルで閉じるための任意の装置に適用することができ、その一例は、地下鉄の駅や地下街等へ通じる地上の出入口の少なくとも一部を水密状態に閉鎖するための装置であり、また、他の例は、建物の出入口の少なくとも一部を水密状態に閉鎖するための装置である。
【００２４】
そして、不動体には、開口部を閉じたときの止水パネルを受けるために設けられるものであって、開口部を開閉する止水パネルに対して不動となっている受け部材が含まれる。
【００２５】
また、本発明において、止水パネルを不動体の開口部に対して開閉移動させるための手段は任意であり、この手段は、止水パネルに端部が結合されたワイヤー等の紐状部材を巻取軸で巻き取り、繰り出す構造のものでもよく、スプロケットホイールで走行するチェーンを用いた構造のものでもよく、ラックアンドピニオンを用いた構造のものでもよく、シリンダの伸縮作動するピストンを用いた構造のものでもよい。
【発明の効果】
【００２６】
本発明によると、止水装置の施工現場で施工作業等を行うときは、止水パネルと閉鎖部材をそれぞれ個別に取り扱う必要がなく、これらを一体化されたものとして取り扱うことができるという効果を得られる。
【図面の簡単な説明】
【００２７】
【図１】図１は、本発明の一実施形態に係る止水装置が設置された不動体となっている地上構造物を示す斜視図である。
【図２】図２は、図１の地上構造物の側断面図である。
【図３】図３は、図２のＳ３−Ｓ３線断面図である。
【図４】図４は、図３のＳ４−Ｓ４線断面図である。
【図５】図５は、図１等で示されている止水パネルの全体を示す正面図である。
【図６】図６は、止水パネルの全体平面図である。
【図７】図７は、閉鎖部材である扉を除いて示す止水パネルだけの全体正面図である。
【図８】図８は、扉を除いて示す止水パネルだけの全体平面図である。
【図９】図９は、扉を除いて示す止水パネルだけの全体斜視図である。
【図１０】図１０は、扉と止水パネルとに設けられているラッチ装置とラッチ受け部材とを示す平断面図である。
【図１１】図１１は、別実施形態に係る止水パネルを示す正面図である。
【図１２】図１２は、図１１の止水パネルの内部構造を示す正断面図である。
【図１３】図１３は、図１１のＳ１３−Ｓ１３線断面図である。
【図１４】図１４は、閉鎖部材であるシート部材が止水パネルの切欠部を閉鎖したときを示す図１２と同様の図である。
【発明を実施するための形態】
【００２８】
以下に本発明を実施するための形態を図面に基づいて説明する。本実施形態に係る止水装置は、地下鉄の駅等へ通じる地上の出入口の下部箇所を水密状態に閉鎖するためのものである。図１には、地下鉄の駅や地下街等の地下施設へ通じる出入口２が形成された地上構造物１が示されており、本実施形態における不動体となっているこの地上構造物１の開口部である出入口２から地下施設へ行き来するための階段３が延設されている。地上構造物１は、屋根部４と、左右の側壁部５と、これらの側壁部５の先端部に設けられた左右２本の柱部６とを有し、屋根部４の先端部と左右２本の柱部６とで囲まれた箇所が、出入口２となっている。
【００２９】
図２は、地上構造物１の側断面図である。屋根部４の先端部下面にはケース７が取り付けられており、このケース７の内部には、本実施形態に係る止水パネル１０を上下に開閉移動させるための開閉移動手段が収納されている。この開閉移動手段は、巻取軸１１を有するものであり、この巻取軸１１は、ケース７の左右の側面部に配置されたブラケット７Ａに回転自在に支持されている。巻取軸１１には、紐状部材となっている左右２本のワイヤー１２の上端が結合され、これらのワイヤー１２は、左右の側壁部５の内面に配置された方向転換ローラ１３で水平方向から下向きに方向が転換され、そして、これらのワイヤー１２の下端は、止水パネル１０の下端部に結合されている。
【００３０】
左右の側壁部５の内面には、左右２本のワイヤー１２が移動自在に収納された左右一対のガイドレール８が取り付けられており、止水パネル１０の左右端部の端面には、上下２個のガイドローラ１４が回転自在に取り付けられ、これらのガイドローラ１４が、断面チャンネル形状となっているガイドレール８の内部に回転自在に挿入可能となっている。また、それぞれのガイドレール８の下端には、上下長さを有する止水パネル受け部材１５の上端が接続されており、これらの止水パネル受け部材１５は、左右の柱部６における階段３側の内面に取り付けられている。
【００３１】
図２に示されているように、止水パネル１０が出入口２の下部箇所を閉じる全閉位置に達しているときには、図２のＳ３−Ｓ３線断面図である図３に示されているように、止水パネル１０の左右端部及びこれらの左右端部の端面に取り付けているガイドローラ１４は、出入口２側（左右方向の内側）に向かって開口した断面チャンネル形状となっているそれぞれの止水パネル受け部材１５の内部に収納されている。この受け部材１５は、前後のフランジ部１５Ａ，１５Ｂと、これらのフランジ部１５Ａ，１５Ｂにおける側壁部５側の端部である外端部同士を連結しているウェブ部１５Ｃとを有する。
【００３２】
このため、巻取軸１１が正回転してワイヤー１２が巻取軸１１に巻き取られることにより、止水パネル１０は受け部材１５から脱出し、この後に、ガイドレール８でガイドローラ１４が案内されることにより、止水パネル１０は上方へ開き移動する。また、巻取軸１１が逆回転してワイヤー１２が巻取軸１１から繰り出されることにより、ガイドレール８でガイドローラ１４が案内されることにより、止水パネル１０はガイドレール８に案内されて下方へ閉じ移動し、次いで、この止水パネル１０は、止水パネル１０の左右端部及びガイドローラ１４が止水パネル受け部材１５の内部に収納された上述の全閉位置に達する。
【００３３】
図２で示したケース７の内部には、地上構造物１に配設された操作装置１９での操作にしたがって巻取軸１１を正回転、逆回転、回転停止させるための駆動装置３５が収納されており、巻取軸１１と接続されているこの駆動装置３５からの駆動力等により、巻取軸１１は正回転等を行う。
【００３４】
このため、通常時の止水パネル１０は、操作装置１９の操作により、ガイドローラ１４がガイドレール８の内部に収納されている全開位置で停止しており、このときの止水パネル１０は、出入口２の略全体を開放している。そして、大雨等により、出入口２から水が前述の地下施設へ流入するおそれが生じたときは、操作装置１９が操作されることにより、止水パネル１０は全閉位置まで降ろされる。
【００３５】
図４は、図３のＳ４−Ｓ４線断面図である。この図４から分かるように、それぞれの止水パネル受け部材１５の内部には、止水パネル押圧部材１６が収納固定されている。上下方向の長さを有するこの止水パネル押圧部材１６は、上端部から長さ方向途中まで延びる傾斜面１６Ａを有し、この傾斜面１６Ａは、下向きに延びながら出入口２の内側へ、すなわち、前述の階段３側へ向かって傾斜している面となっており、この傾斜面１６Ａの下側は、傾斜面１６Ａと連続して鉛直下向きに延びる鉛直面１６Ｂとなっている。
【００３６】
このため、前述したように巻取軸１１の逆回転により止水パネル１０が全閉位置に向かって閉じ移動し、止水パネル１０の左右端部が止水パネル受け部材１５の内部に侵入すると、図４の二点鎖線で示されているように、この止水パネル１０の左右端部の下端部が止水パネル押圧部材１６の傾斜面１６Ａに当ることにより、止水パネル１０は出入口２の内側へ移動しながら閉じ移動し、そして、止水パネル１０が全閉位置に達したときには、図４の実線で示されているように、この止水パネル１０の左右端部は、鉛直面１６Ｂの押圧作用により、止水パネル受け部材１５の前述した前後のフランジ部１５Ａ，１５Ｂのうち、階段３側のフランジ部となっている後フランジ部１５Ｂの内面に押圧される。
【００３７】
そして、止水パネル１０の左右端部の表裏両面のうち、このように後フランジ部１５Ｂの内面に押圧される面となっている裏面には、水密性を有するシール部材１７が取り付けられており、また、止水パネル１０の下面にも、水密性を有するシール部材１８が取り付けられている。このため、止水パネル１０が全閉位置に達したときには、シール部材１７が後フランジ部１５Ｂの内面に押圧され、シール部材１８が出入口２の床（路面）９に止水パネル１０の重量で押圧され、これにより、止水パネル１０で閉じられた出入口２の下部箇所は、水密状態に閉鎖されることになる。
【００３８】
なお、止水パネル受け部材１５は、前述の不動体となって地上構造物１に取り付けられているため、この止水パネル受け部材１５は不動体の一部を構成するものとなっている。
【００３９】
図１に示されているように、止水パネル１０には、扉２０で開閉される切欠部３０が形成されている。図５は、扉２０を含めて止水パネル１０の全体を示す正面図であり、図６は、扉２０を含めて止水パネル１０の全体を示す平面図である。また、図７は、扉２０を除いて示す止水パネル１０だけの全体正面図であり、図８は、扉２０を除いて示す止水パネル１０だけの全体平面図であり、図９は、扉２０を除いて示す止水パネル１０だけの全体斜視図である。図９から分かるように、止水パネル１０に形成されている切欠部３０は、この止水パネル１０の上端から下端に向かって切り込み状態でＵ字形状又は略Ｕ字形状に設けられたものとなっており、この切欠部３０が扉２０により開閉可能となっている。このため、この扉２０は、切欠部３０を開放可能に閉鎖するための閉鎖部材になっている。
【００４０】
止水パネル１０には、切欠部３０の左右端部と下部において、止水パネル１０の表面１０Ａ（出入口２の外側の面）から裏面１０Ｂ（出入口２の内側の面、又は階段３側の面）に向かって窪んだ窪み部３１が形成されており、切欠部３０の形状に倣った正面形状を有するこの窪み部３１は、切欠部３０の左右端部において上下方向へ形成され、切欠部３０の下部において左右方向に形成されている。また、窪み部３１の窪み量、言い換えると、窪み部３１についての止水パネル１０の厚さ方向の深さ寸法は、扉２０の厚さ寸法と対応する寸法になっている。また、扉２０の全体正面形状及び全体正面寸法は、窪み部３１を含めた切欠部３０の全体正面形状及び全体正面寸法と対応するものになっている。そして、止水パネル１０には、窪み部３１により、切欠部３０の左右端部と下部において、薄厚部３２が設けられている。
【００４１】
なお、出入口２の外側とは、水が流入する場合における上流側のことであり、出入口２の内側とは、この上流側とは反対側であって、この上流側から水が流入してくる側のことであり、水が流入してくることを阻止又は抑制したい側のことである。
【００４２】
図１及び図５に示されているとおり、正面形状が四角形となっている扉２０の左右の側辺部のうち、一方の側辺部は、上下２個のヒンジ２１により、止水パネル１０に結合されている。このように扉２０の上下方向に延びる辺部となっている側辺部が、ヒンジ２１により止水パネル１０に結合されることにより、扉２０は、左右方向に開閉するために止水パネル１０に対して回動自在となっており、扉２０が止水パネル１０に対して閉じ回動することにより、切欠部３０が扉２０により閉鎖される。
【００４３】
図９に示されているように、止水パネル１０には、上述の窪み部３１の窪み方向の先端部において、水密性を有するシール部材２２，２３，２４が取り付けられている。さらに、ヒンジ２１は、例えば、グラビティヒンジであるため、扉２０が切欠部３０を開放したときには、ヒンジ２１の自動閉鎖作用により、扉２０には自ずと閉じ回動力が生ずるようになっている。これにより、扉２０が切欠部３０を閉鎖したときには、切欠部３０の左右端部と下部において、窪み部３１によって止水パネル１０に形成されている上述の薄厚部３２に扉２０がシール部材２２，２３，２４を介して当ることになり（図６を参照）、このため、この薄厚部３２は、扉２０が当るための戸当り部となっている。また、このようにして扉２０が薄厚部３２で受けられたときには、扉２０の裏面は、シール部材２２，２３，２４に当ることになる。
【００４４】
図５及び図６に示されているように、扉２０と止水パネル１０には、切欠部３０を閉鎖した扉２０をこの閉鎖状態に維持させるための閉鎖手段が設けられている。この閉鎖手段は、扉２０に配置されたラッチ装置２５と、止水パネル１０に配置されたラッチ受け部材２６とを有するものである。図１０には、これらのラッチ装置２５とラッチ受け部材２６の平断面図が示されている。ラッチ装置２５は、扉２０内に配置されたケース２７と、このケース２７の内部に収納された弾発部材となっているばね２８と、ケース２７の内部に左右方向にスライド自在に収納され、ばね２８から扉２０の外部へ突出する方向の弾発力を受けているラッチ部材２９とを有し、また、ラッチ受け部材２６は、扉２０が切欠部３０を閉鎖しているときに、ラッチ部材２９と左右方向に対向する止水パネル１０の内部箇所に配置されている。
【００４５】
ラッチ部材２９におけるラッチ受け部材２６側の先端部２９Ａは、止水パネル１０及び扉２０の厚さ方向両側の面がラッチ受け部材２６側に延びるにしたがって止水パネル１０及び扉２０の厚さ方向の寸法が次第に小さくなる先細り形状となっており、また、ラッチ受け部材２６におけるラッチ部材２９側の先端部２６Ａも、止水パネル１０及び扉２０の厚さ方向両側の面がラッチ部材２９側に延びるにしたがって止水パネル１０及び扉２０の厚さ方向の寸法が次第に小さくなる先細り形状となっている。
【００４６】
このため、前述したヒンジ２１の自動閉鎖作用により、切欠部３０を開放していた扉２０が切欠部３０を閉鎖するためにヒンジ２１を中心に閉じ回動したときには、ラッチ受け部材２６の先端部２６Ａに先端部２９Ａが当接したラッチ部材２９は一旦後退した後に、ばね２８からの弾発力で前進し、これにより、ラッチ部材２９の先端部２９Ａとラッチ受け部材２６の先端部２６Ａとが当接することにより、切欠部３０を閉鎖した扉２０は、この閉鎖状態に維持することになる。また、扉２０が切欠部３０を閉鎖しているときに、この扉２０の裏面（階段３側の面）を押したときには、ラッチ部材２９はラッチ受け部材２６に対して後退するため、扉２０はヒンジ２１を中心に開き回動して切欠部３０を開放する。
【００４７】
通常時の扉２０は、図１０に示されているように、ラッチ部材２９の先端部２９Ａとラッチ受け部材２６の先端部２６Ａとが当接していることにより、切欠部３０を閉鎖している。
【００４８】
前述したように大雨等のときに出入口２の下部箇所が全閉位置に達している止水パネル１０により閉鎖されているときであって、大雨等による水位が、切欠部３０の高さ位置まで達していないときにおいて、前述の地下鉄の駅や地下街等の地下施設に居て階段３により出入口２の近くまで来た人が、扉２０を、扉２０の裏面側から押すことにより、扉２０を開き回動させて切欠部３０を開放することができ、これにより、上記人は、切欠部３０を跨ぐことにより、止水パネル１０を通過して出入口２の外側へ脱出することができる。そして、この後に扉２０は、前述のグラビティヒンジ等であるヒンジ２１の自動閉鎖力により、このヒンジ２１を中心に自動的に閉鎖回動することになり、これにより、切欠部３０は扉２０により閉鎖される。
【００４９】
また、図６で示されている止水パネル１０の表裏両面１０Ａ，１０Ｂのうち、表面（階段３側とは反対側の面）１０Ａに大雨等による水圧が作用し、そして、水位が上昇し、この水位が扉２０の高さ位置まで達したときには、水圧により、扉２０は止水パネル１０に取り付けられている前述のシール部材２２，２３，２４に圧接することになる。このため、人が止水パネル１０を通過できるように止水パネル１０に設けられている切欠部３０を、水圧が作用する扉２０により一層水密状態に閉鎖できる。
【００５０】
また、本実施形態では、ラッチ部材２９はドアノブ等の操作部材の操作により横方向にスライドするものではない。このため、扉２０には、ドアノブ等の操作部材のように外部に突出する部材を設けなくてもよい。
【００５１】
さらに、切欠部３０を閉鎖したときの扉２０は、止水パネル１０に戸当り部として設けられている前述の薄厚部３２に当接するため、水圧が作用している扉２０を止水パネル１０によって有効に受けることができ、また、この水圧により、扉２０はシール部材２２，２３，２４に強く押し付けられるため、これらのシール部材２２，２３，２４により、扉２０による切欠部３０に対する水密の密閉性を向上させることができる。
【００５２】
以上説明した本実施形態では、切欠部３０を開放可能に閉鎖するための閉鎖部材となっている扉２０は、この扉２０の上下方向に延びる辺部となっている側辺部において、ヒンジ２１により止水パネル１０に結合されているため、本実施形態に係る止水装置を施工する現場等において、止水パネル１０と扉２０がそれぞれ個別に取り扱われることはなく、止水パネル１０と扉２０を一体化されたものとして取り扱うことができるため、施工作業等を容易に行うことができる。
【００５３】
以上説明した実施形態の止水装置では、図２に示されている方向転換ローラ１３が用いられていたが、この方向転換ローラ１３を省略し、そして、ガイドレール８の形状を、図２と異なり、ケース７から止水パネル受け部材１５まで鉛直又は略鉛直に延びる形状としてもよい
図１１〜図１４は、別実施形態に係る止水パネル５０を示す。図１１は、止水パネル５０を示す全体正面図であり、図１２は、止水パネル５０の内部構造を示す全体正断面図であり、図１３は、図１１のＳ１３−Ｓ１３線断面図である。この実施形態の止水パネル５０の左右端部の端面にも、ガイドレール８及び止水パネル受け部材１５の内部に挿入されるガイドローラ１４が取り付けられ、また、止水パネル５０の表裏両面のうち、階段３側の面である裏面に、水密性を有するシール部材１７が取り付けられているとともに、止水パネル５０の下面に、水密性を有するシール部材１８が取り付けられている。
【００５４】
図１３から分かるように、止水パネル５０の内部は空洞となっている。このため、止水パネル５０は、表裏両面を形成している表面部５１及び裏面部５２と、これらの表面部５１と裏面部５２との間に設けられ、表面部５１と裏面部５２との間の止水パネル５０の厚さ方向の間隔を維持するための部分となっている間隔維持部５３とを有し、この間隔維持部５３は、図１１及び図１２に示されているように、止水パネル５０の左右端部に設けられた左右端部５３Ａ，５３Ｂと、止水パネル５０の下端部に設けられた下端部５３Ｃと、止水パネル５０の上端部に設けられた上端部５３Ｄとからなる。
【００５５】
図１１及び図１２から分かるように、止水パネル５０の表面部５１及び裏面部５２には、これらの表面部５１及び裏面部５２の上端から下端に向かって窪んだ凹部５１Ａ，５２Ａが設けられ、これにより、止水パネル５０には、この止水パネル５０の上端から下端に向かって切り込み状態で形成されているＵ字形状又は略Ｕ字形状の切欠部７０が形成されており、この切欠部７０は、止水パネル５０の厚さ方向に貫通したものとなっている。そして、間隔維持部５３のうち、上端部５３Ｄは、切欠部７０により左右に分割されたものとなっている。
【００５６】
止水パネル５０の内部の空洞部には、切欠部７０を開放可能に閉鎖するための閉鎖部材となっていて、防水性を有しているシート部材６０と、軸方向が水平方向又は略水平方向となっていて、シート部材６０が上下方向に繰り出し自在に巻き取られている巻取軸６１と、フロート部材６２とが収納配置されており、シート部材６０を繰り出す前の巻取軸６１の高さ位置は、フロート部材６２の高さ位置よりも高くなっている。また、切欠部７０の左右端部から左右の外側へ離れた箇所において、上記空洞部には、それぞれ左右２個ずつの第１回転部材６３と第２回転部材６４と第３回転部材６５とが、左右方向の位置を一致又は略一致させて上下方向の間隔をあけて配置されている。第２回転部材６４は、同軸で一体結合された小径回転部材６４Ａと大径回転部材６４Ｂとからなる。
【００５７】
大径回転部材６４Ｂと、この大径回転部材６４Ｂと同じ直径を有する第１回転部材６３とには、第１無端走行部材６６が掛け回され、小径回転部材６４Ａと、この小径回転部材６４Ａと同じ直径を有する第３回転部材６５とには、第２無端走行部材６７が掛け回されている。第１無端走行部材６６のうち、切欠部７０側の部分には、巻取軸６１の両端部が連結されており、この連結は、巻取軸６１が回転自在となって行われている。また、第２無端走行部材６７のうち、切欠部７０側の部分には、フロート部材６２が連結されており、このフロート部材６２は、左右方向に延びる細長部材となっている。
【００５８】
シート部材６０の下辺部６０Ａは、フラットバー等の補強部材で補強されているとともに、シート部材６０のそれぞれの辺部のうち、左右方向に延びる辺部となっているこの下辺部６０Ａは、ビスや接着等により止水パネル５０の裏面部５２に水密状態で結合されている。この下辺部６０Ａが裏面部５２に結合されている高さ位置は、この裏面部５２に形成されている前述の凹部５２Ａよりも下側の位置である。また、シート部材６０の左右方向の幅寸法は、切欠部７０の左右方向の幅寸法よりも大きくなっている。このため、図１４に示されているように、巻取軸６１が回転しながら上方へ移動することにより、シート部材６０は巻取軸６１から繰り出されるとともに、このシート部材６０により、止水パネル５０の裏面部５２に形成されている凹部５２Ａが下側から上側に次第に遮閉され、これにより、切欠部７０も下側から上側に次第に閉鎖されるようになっている。
【００５９】
シート部材６０には、止水パネル５０の裏面部５２と接触する左右端部において、この裏面部５２に密着しかつ可撓性を有する水密性シール部材６８が取り付けられている。このため、シート部材６０が巻取軸６１から繰り出されたときには、この水密性シール部材６８が、止水パネル５０の裏面部５２に帯状となって水密状態で密着し、これにより、切欠部７０が、シート部材６０により水密状態で閉鎖されるようになっている。このため、下辺部６０Ａが止水パネル５０に結合されているシート部材６０の左右辺部は、止水パネル５０の裏面部５２に水密状態で密着する箇所となっている。
【００６０】
なお、水密性シール部材６８は、例えば、マグネットテープである。また、第１〜第３回転部材６３〜６５は、例えば、スプロケットホールやプーリーであり、第１及び第２無端走行部材６６，６７は、例えば、ローラーチェーンやベルトである。
【００６１】
そして、止水パネル５０の表面部５１と裏面部５２のうち、水圧が作用する面となっている表面部５１には、図１１に示されているように、前述のシール部材１８に近い下部において、水導入口６９が形成されている。
【００６２】
止水パネル５０には、前述した実施形態の止水パネル１０と同様に、図１の巻取軸１１に上端が結合されているワイヤー１２の下端が連結されているため、巻取軸１１の正逆回転により、止水パネル５０は上下に移動し、全閉位置に達した止水パネル５０により、図１等で示されている出入口２の下部箇所が閉じられる。
【００６３】
このように止水パネル５０が全閉位置に達しているときであって、大雨等による水位が水導入口９０の高さ位置まで達していないとき、又は水導入口９０の高さ位置まで達しているが、この水導入口９０から止水パネル５０の内部の空洞部に流入した水の高さがフロート部材６２の高さ位置まで達していないときにおいて、前述の地下鉄の駅や地下街等の地下施設に居て階段３により出入口２の近くまで来た人は、切欠部７０を跨ぐことにより、止水パネル５０を通過して出入口２の外側へ脱出することができる。
【００６４】
また、止水パネル５０の表面部５１と裏面部５２のうち、大雨等による水圧が作用する面となっている表面部５１において、水位が上昇し、この水位が水導入口９０の高さ位置に達すると、この水導入口９０から水が止水パネル５０の内部の空洞部に侵入する。この空洞部での水位がさらに上昇すると、フロート部材６２は浮力によって上昇し、これにより、第２無端走行部材６７が走行して第１〜第３回転部材６３〜６５が回転するため、第１無端走行部材６６も走行する。
【００６５】
このため、第１無端走行部材６６に端部が回転自在に連結されている巻取軸６１が上側へ移動することになり、これにより、図１４に示されているように、巻取軸６１からシート部材６０が繰り出され、このため、前述したように、止水パネル５０に人が通過できるように形成されている切欠部７０は、シート部材６０の上下方向に延びる辺部となっている左右辺部がシール部材６８を介して止水パネル５０の裏面部５２に密着することにより、水密状態で閉鎖される。
【００６６】
また、止水パネル５０の表面部５１での水位が、この表面部５１に形成されている前述の凹部５１Ａの高さ位置に達すると、水はこの凹部５１Ａから止水パネル５０の内部の空洞部に流入するが、このときには、このときの水位よりも高い位置まで巻取軸６１が上昇していて、シート部材６０は、止水パネル５０の裏面部５２に形成されている凹部５２Ａを閉鎖しているため、水が止水パネル５０を通過して階段３側へ流入することはない。
【００６７】
そして、本実施形態では、第１無端走行部材６６が掛け回されている第１回転部材６３及び第２回転部材６４の大径回転部材６４Ｂの直径は、第２無端走行部材６７が掛け回されている第３回転部材６５及び第２回転部材６４の小径回転部材６４Ａの直径より大きいため、フロート部材６２の上昇量よりも巻取軸６１を上側に大きく移動させることができ、これにより、シート部材６０により閉鎖することができる切欠部７０の上下長さを長くできる。
【００６８】
また、止水パネル５０の内部の空洞部での水位が低下すると、フロート部材６２は下降するため、下側へ移動する巻取軸６１によりシート部材６０は巻き取られ、したがって、切欠部７０は開放される。このため、シート部材６０は、切欠部７０を開放自在に閉鎖するための閉鎖部材になっている。さらに、第１〜第３回転部材６３〜６５と、第１及び第２無端走行部材６６，６７とにより、巻取軸６１とフロート部材６２とを連結するための連結手段が構成されている。
【００６９】
この実施形態では、閉鎖部材となっているシート部材６０の下辺部６０Ａが止水パネル５０に結合されているため、この実施形態に係る止水装置を施工する現場等において、止水パネル５０とシート部材６０がそれぞれ個別に取り扱われることはなく、止水パネル１０とシート部材６０を一体化されたものとして取り扱うことができるため、施工作業等を容易に行うことができる。
【００７０】
さらに、止水パネル５０の内部は水が侵入する空洞部となっており、この空洞部に、シート部材６０と、巻取軸６１と、フロート部材６２と、上述の連結手段とが収納されているため、これらを外力等から保護することができる。
【００７１】
以上説明したそれぞれの実施形態は、不動体が地下鉄の駅等へ通じる出入口を形成するための地上構造物の場合であったが、この不動体は、地下鉄の駅等の地下施設とは無関係の又は地下施設と関係するビル等の建物でもよく、また、例えば、敷地内への水の侵入を止水パネルで阻止するために、道路等に隣接する敷地等に、開閉扉と共に門や壁等として設置されたものでもよい。また、本発明に係る止水装置は、例えば、道路への又は道路からの水の侵入を阻止するためにも用いることができる。
【産業上の利用可能性】
【００７２】
本発明は、例えば、不動体に設けられる地下鉄の駅等へ通じる地上の出入口や建物の出入口等の開口部の少なくとも一部を水密状態に閉鎖するために利用することができる。
【符号の説明】
【００７３】
１  不動体である地上構造物
２  開口部である出入口
１０，５０  止水パネル
２０  閉鎖部材である扉
２１  ヒンジ
３０，７０  切欠部
３２  戸当り部である薄厚部
６０  閉鎖部材であるシート部材
６１  巻取軸
６２  フロート部材
６３〜６５  連結手段を構成する回転部材
【図１】
2015132123.tif 000003
【図２】
2015132123.tif 000004
【図３】
2015132123.tif 000005
【図４】
2015132123.tif 000006
【図５】
2015132123.tif 000007
【図６】
2015132123.tif 000008
【図７】
2015132123.tif 000009
【図８】
2015132123.tif 000010
【図９】
2015132123.tif 000011
【図１０】
2015132123.tif 000012
【図１１】
2015132123.tif 000013
【図１２】
2015132123.tif 000014
【図１３】
2015132123.tif 000015
【図１４】
2015132123.tif 000016